(57)【要約】【課題】  多数の天井照明装置に対応可能で、なおかつレイアウト変更が容易な天井照明用配線構造を提供する。【解決手段】  天井照明用配線構造は、ビル・オフィス等の部屋内の天井部分１に設置される複数の天井照明装置２に適用される配線構造である。天井照明用配線構造は、複数のジョイントボックス３と、複数種のコネクタ付ケーブル（４〜７）と、複数のスイッチ８と、分電盤９とを備えて構成される。上記コネクタ付ケーブルとしては、両端コネクタ付ケーブル４、天井照明用コネクタ付ケーブル５、スイッチ用コネクタ付ケーブル６、及び分電盤用コネクタ付ケーブル７が用いられる。【選択図】    図１
2005278260.tif 000002
【特許請求の範囲】
【請求項１】
複数の被コネクタ接続部を有して電源の分配を可能とするジョイントボックスと、両端にコネクタを有する両端コネクタ付ケーブルと、一端に天井照明装置又は該天井照明装置に対する接続部を有し他端にコネクタを有する天井照明用コネクタ付ケーブルと、一端にスイッチ又は該スイッチに対する接続部を有し他端にコネクタを有するスイッチ用コネクタ付ケーブルと、一端に分電盤又は該分電盤に対する接続部を有し他端にコネクタを有する分電盤用コネクタ付ケーブルとを備え、且つ、前記ジョイントボックスを前記天井照明装置の配置に合わせて複数箇所設置するとともに、前記ジョイントボックス間を前記両端コネクタ付ケーブルでコネクタ接続し、さらに、前記天井照明用コネクタ付ケーブル、前記スイッチ用コネクタ付ケーブル、及び前記分電盤用コネクタ付ケーブルを所望の位置の前記ジョイントボックスにコネクタ接続する
ことを特徴とする天井照明用配線構造。
【請求項２】
請求項１に記載の天井照明用配線構造において、
前記両端コネクタ付ケーブルを用いて前記ジョイントボックスを設置個所の縦方向又は横方向に繋ぎ、前記天井照明装置を縦方向又は横方向にグループ化する
ことを特徴とする天井照明用配線構造。
【発明の詳細な説明】
【技術分野】
【０００１】
本発明は、例えばビル・オフィスにおける多数の天井照明装置の配線構造に関する。
【背景技術】
【０００２】
分電盤から電源線を引き出して、起点となるジョイントボックスに接続し、さらに、その起点となるジョイントボックスから各設備機器やスイッチとの間の分岐配線を行うような配線構造が知られている（例えば特許文献１参照）。これは、予め工場などで配線ケーブル付きのジョイントボックスを製造することにより行われる配線構造である。
【特許文献１】特開平５−２０７６２５号公報
【発明の開示】
【発明が解決しようとする課題】
【０００３】
ところで、上記従来技術にあっては、各設備機器やスイッチがはじめから決まった位置にあるものとして分岐配線の長さ等が設定されていることから、レイアウト変更をしようとする場合には不向きな構造になっている。また、一つのジョイントボックスを起点として分岐配線をするようになっていることから、ビル・オフィス内のような多数の天井照明装置を有する場合には、分岐配線が全ての天井照明装置に対応しきれない構造になっている。
【０００４】
本発明は、上述した事情に鑑みてなされるもので、多数の天井照明装置に対応可能で、なおかつレイアウト変更が容易な天井照明用配線構造を提供することを課題とする。
【課題を解決するための手段】
【０００５】
上記課題を解決するためなされた請求項１記載の本発明の天井照明用配線構造は、複数の被コネクタ接続部を有して電源の分配を可能とするジョイントボックスと、両端にコネクタを有する両端コネクタ付ケーブルと、一端に天井照明装置又は該天井照明装置に対する接続部を有し他端にコネクタを有する天井照明用コネクタ付ケーブルと、一端にスイッチ又は該スイッチに対する接続部を有し他端にコネクタを有するスイッチ用コネクタ付ケーブルと、一端に分電盤又は該分電盤に対する接続部を有し他端にコネクタを有する分電盤用コネクタ付ケーブルとを備え、且つ、前記ジョイントボックスを前記天井照明装置の配置に合わせて複数箇所設置するとともに、前記ジョイントボックス間を前記両端コネクタ付ケーブルでコネクタ接続し、さらに、前記天井照明用コネクタ付ケーブル、前記スイッチ用コネクタ付ケーブル、及び前記分電盤用コネクタ付ケーブルを所望の位置の前記ジョイントボックスにコネクタ接続することを特徴としている。
【０００６】
このような特徴を有する本発明によれば、天井照明装置やスイッチの数及び配置に応じてジョイントボックスを一又は複数個設置するとともに、設置したジョイントボックスに対して各コネクタ付ケーブルをコネクタ接続する。これにより、天井照明装置に対する配線が完了する。両端コネクタ付ケーブルを用いれば、ジョイントボックス同士が接続され、天井照明用コネクタ付ケーブルを用いれば、ジョイントボックスと天井照明装置とが接続される。また、スイッチ用コネクタ付ケーブルを用いれば、ジョイントボックスとスイッチとが接続され、分電盤用コネクタ付ケーブルを用いれば、ジョイントボックスと分電盤とが接続される。尚、レイアウト変更の際には、各コネクタ付ケーブルのコネクタ接続を解除して、ジョイントボックスの配置を新たにし、その上で再度、各コネクタ付ケーブルを必要な分だけコネクタ接続すればよい。
【０００７】
請求項２記載の本発明の天井照明用配線構造は、請求項１に記載の天井照明用配線構造において、前記両端コネクタ付ケーブルを用いて前記ジョイントボックスを設置個所の縦方向又は横方向に繋ぎ、前記天井照明装置を縦方向又は横方向にグループ化することを特徴としている。
【０００８】
このような特徴を有する本発明によれば、天井照明装置がジョイントボックスの縦方向又は横方向にグループ化される。
【発明の効果】
【０００９】
請求項１に記載された本発明によれば、多数の天井照明装置に対応することができるという効果を奏する。また、レイアウトの変更を容易にすることができるという効果を奏する。請求項２に記載された本発明によれば、天井照明装置をグループ化しレイアウトを容易にすることができるという効果を奏する。
【発明を実施するための最良の形態】
【００１０】
以下、図面を参照しながら説明する。
図１は本発明の天井照明用配線構造の一実施の形態を示す概略図である。また、図２は本発明との比較をするための比較例の概略図である。
【００１１】
図１（ａ）において、本発明の天井照明用配線構造は、特に限定しないが、ビル・オフィス等の部屋内の天井部分１に設置される複数の天井照明装置２に適用される配線構造であって、複数のジョイントボックス３と、複数種のコネクタ付ケーブル（４〜７）と、複数のスイッチ８と、分電盤９とを備えて構成されている。上記コネクタ付ケーブルとしては、両端コネクタ付ケーブル４、天井照明用コネクタ付ケーブル５、スイッチ用コネクタ付ケーブル６、及び分電盤用コネクタ付ケーブル７が用いられている。
【００１２】
ジョイントボックス３は、箱状の外形形状を構成する複数の側壁に、外部からの接続がなされる複数の被コネクタ接続部（図示省略）を有している。また、ジョイントボックス３は、その内部に被コネクタ接続部に接続される分岐回路（図示省略）を有している。ジョイントボックス３は、電源の分配が可能となるように構成されている。被コネクタ接続部（図示省略）の配置及び数は、特に限定するものではないが、ジョイントボックス３を天井部分１において縦方向及び／又は横方向に配置することができるように配慮されている。具体的に説明すると、本形態においては、ジョイントボックス３が平面視、直方体状の外形形状に形成されており、４つの側壁のうちの長い側壁に少なくとも３つ、短い側壁に少なくとも１つの被コネクタ接続部（図示省略）が設けられている。ジョイントボックス３は、天井照明装置２の配置に合わせて複数箇所設置されるようになっている。
【００１３】
両端コネクタ付ケーブル４は、ジョイントボックス３の被コネクタ接続部（図示省略）にコネクタ接続することが可能なコネクタ（図中の黒で塗りつぶした正方形がこれに相当。以下、コネクタの説明は全て同じとする）をケーブルの両端に設けたものであって、ジョイントボックス３同士を電気的に接続するために備えられている。両端コネクタ付ケーブル４は、図１（ａ）の本形態において、ケーブルの長さを変えたものが幾つか備えられている（４種類あり、全部で６つ）。
【００１４】
天井照明用コネクタ付ケーブル５は、適宜長さのケーブルの一端に天井照明装置２、又はその天井照明装置２に対する接続部を有している。また、ケーブルの他端は、ジョイントボックス３の被コネクタ接続部（図示省略）にコネクタ接続することが可能なコネクタを有している。天井照明用コネクタ付ケーブル５は、天井照明装置２とジョイントボックス３とを電気的に接続するために備えられている。天井照明装置２及び天井照明用コネクタ付ケーブル５は、図１（ａ）の本形態において、２４個ずつ備えられている。
【００１５】
スイッチ用コネクタ付ケーブル６は、適宜長さのケーブルの一端にスイッチ８、又はそのスイッチ８に対する接続部を有している。また、ケーブルの他端は、ジョイントボックス３の被コネクタ接続部（図示省略）にコネクタ接続することが可能なコネクタを有している。スイッチ用コネクタ付ケーブル６は、スイッチ８とジョイントボックス３とを電気的に接続するために備えられている。スイッチ８は、図１（ａ）の本形態において、ＳＷ１〜ＳＷ３で示される３つのものが備えられている。また、スイッチ用コネクタ付ケーブル６は、図１（ａ）の本形態において、長さの異なる３つのものが備えられている。
【００１６】
分電盤用コネクタ付ケーブル７は、適宜長さのケーブルの一端に分電盤９、又はその分電盤９に対する接続部を有している。また、ケーブルの他端は、ジョイントボックス３の被コネクタ接続部（図示省略）にコネクタ接続することが可能なコネクタを有している。分電盤用コネクタ付ケーブル７は、図１（ａ）の本形態において、長さの異なる３つのものが備えられている。
【００１７】
次に、上記構成に基づいて、天井部分１に設置される複数の天井照明装置２に対しての配線について説明する（下記の手順で配線が行われる。尚、下記の手順は一例であるものとする）。
【００１８】
（１）手順１：ジョイントボックス３を天井照明装置２の配置に合わせて複数箇所設置する。また、スイッチ８（ＳＷ１〜ＳＷ３）の配置に合わせてジョイントボックス３を更に３つ設置する。すなわち、例えば図１（ａ）に示されるように、４つの天井照明装置２に対してジョイントボックス３を１つ設置する。また、縦方向に分電盤９があり横方向にスイッチ８がある位置にジョイントボックス３を１つずつ設置する。
【００１９】
（２）手順２：両端コネクタ付ケーブル４を用いて、ジョイントボックス３同士を横方向にそれぞれ電気的に接続する。
【００２０】
（３）手順３：天井照明用コネクタ付ケーブル５を用いて、天井照明装置２とジョイントボックス３とをそれぞれ電気的に接続する。
【００２１】
（４）手順４：スイッチ用コネクタ付ケーブル６を用いて、各スイッチ８（ＳＷ１〜ＳＷ３）とジョイントボックス３とをそれぞれ電気的に接続する。
【００２２】
（５）手順５：分電盤用コネクタ付ケーブル７を用いて、分電盤９と、スイッチ用コネクタ付ケーブル６をコネクタ接続した３つのジョイントボックス３とをそれぞれ電気的に接続する。
【００２３】
以上により、１つのスイッチ８で横方向の８個の天井照明装置２が制御される配線構造の構成が完了する（本発明の天井照明用配線構造によれば、コネクタ接続が主な作業であり、短時間に簡単に配線することができる）。天井照明装置２は、図１（ａ）に示されるように３つにグループ化される。
【００２４】
続いて、図１（ａ）及び図１（ｂ）を参照しながら、図１（ａ）の配線構造からのレイアウト変更について説明する。
【００２５】
（１）手順１：両端コネクタ付ケーブル４、スイッチ用コネクタ付ケーブル６、及び分電盤用コネクタ付ケーブル７のコネクタ接続状態を解除するとともに、スイッチ８（ＳＷ３）とこれに対応するジョイントボックス３とを削除する。
【００２６】
（２）手順２：両端コネクタ付ケーブル４を用いて、天井照明用コネクタ付ケーブル５をコネクタ接続した６つのジョイントボックス３同士を縦方向にそれぞれ電気的に接続する。また、両端コネクタ付ケーブル４を用いて、残りのジョイントボックス３を電気的に接続する。
【００２７】
（３）手順３：スイッチ用コネクタ付ケーブル６を用いて、各スイッチ８（ＳＷ１〜ＳＷ２）とジョイントボックス３とをそれぞれ電気的に接続する。
【００２８】
（４）手順４：分電盤用コネクタ付ケーブル７を用いて、分電盤９と、スイッチ用コネクタ付ケーブル６をコネクタ接続した２つのジョイントボックス３とをそれぞれ電気的に接続する。
【００２９】
以上により、レイアウト変更が完了する。１つのスイッチ８で縦方向の１６個の天井照明装置２が制御される配線構造になる（本発明の天井照明用配線構造によれば、短時間で配線の変更が可能である。また、ケーブルの再利用が可能である）。天井照明装置２は、レイアウト変更によって、図１（ｂ）に示されるように２つにグループ化される。
【００３０】
尚、本発明の天井照明用配線構造を適用せずに、単なるケーブルで天井照明装置やスイッチや分電盤を結線する場合には、図２（ａ）に示されるような構造になる。また、これをレイアウト変更すると、図２（ｂ）に示されるような構造になる。図２の場合、ケーブルの布設や、ケーブルのシース・絶縁体の皮むきや、ケーブルと天井照明装置、スイッチ、及び分電盤との結線作業等があり、非常に面倒且つ再利用性の悪い構造になる。比較してみれば、図１の本発明の天井照明用配線構造が有用であることが分かる。
【００３１】
その他、本発明は本発明の主旨を変えない範囲で種々変更実施可能なことは勿論である。
【図面の簡単な説明】
【００３２】
【図１】本発明による天井照明用配線構造の一実施の形態を示す概略図である。
【図２】本発明との比較をするための比較例の概略図である。
【符号の説明】
【００３３】
１  天井部分
２  天井照明装置
３  ジョイントボックス
４  両端コネクタ付ケーブル
５  天井照明用コネクタ付ケーブル
６  スイッチ用コネクタ付ケーブル
７  分電盤用コネクタ付ケーブル
８  スイッチ
９  分電盤
【図１】
2005278260.tif 000003
【図２】
2005278260.tif 000004